(57)【特許請求の範囲】
【請求項１】
表面に文字、図柄の書き込み、消去を可能とする無反射性加工を施すと共に、背面に電流の印加により発熱して暖房効果を生じる導電性の膜層を形成し、該導電性の膜層上に電流を印加するための電極を形成した板ガラスであって、前記板ガラスの背面に形成した導電性の膜層は光拡散性塗料または顔料を含むことを特徴とする書写及び映写用ガラス。
【発明の詳細な説明】
【０００１】
【発明の属する技術】
本考案は、筆記具による文字、図柄の書込、および字消具による消去を可能とした書写及び映写用の板ガラスに関する。
【０００２】
【従来の技術】
従来より、この種の筆記板材は、特に多人数での学習、営業事務、会議、或いは宣伝、伝言、掲示等においては必要不可欠なものであることから、様々な用途に応じて多種類が開発されており、例えば、筆記具にチョークを使用する黒板（ブラックボード）や、フェルトペン等の汎用の筆記具を使用する白板（ホワイトボード）等が周知であるる。
【０００３】
例えば、チョークを使用する黒板の場合には、粉が指や体に付着して汚れる等の人体に影響を与えたり、ホワイトボードでは、インクのかすれやムラが問題になる。そして、いずれも、筆記具による文字、図柄の書込、および字消具による消去できるという基本的な機能は充足しているものの、色彩や形状等が単調であることから、装飾性、デザイン性等には乏しい。
【０００４】
一方、会議や教育の場では、同様のシチュエーションでＯＨＰの投写や映写が行われることがあるが、この場合、前記のホワイトボートを兼用させることは、過度の反射光により無理があり、その都度、これらのボード類とは別にロール式のスクリーンを容易して映写が行われているのが現状である。これらは、設置に手間がかかるだけでなく、スペースを占領する等のデメリットが存在する。加えて、従来のスクリーンにあつては、反射に指向性が存在するため、正面方向以外からは画像が不鮮明になる等の問題がある等の改善すべき点が多く存在していた。
【０００５】
【発明が解決しようとする課題】
本発明は、上記の従来技術に鑑みて、単に図柄の書込等で使用するだけではなく、同時に、学校の授業、講義、学会での発表や会社内でのプレゼンテーションにおいて要求される、映写画像に対する文字、図形の書き込み、消去を可能とする新素材を提供するものであり、より、詳細には、反射及び透過型の映写スクリーンとして使用可能であり、またその使用態様も間仕切材としても使用可能であり、さらにテーブルの天板としても使用可能として、装飾性と実用的機能を具備した書写及び映写用ガラスを提供することを目的とする。
【０００６】
【課題を解決するための手段】
上記の問題を解決するために本発明による書写及び映写用ガラスは、表面に文字、図柄の書き込み、消去を可能とする無反射性加工を施すと共に、背面に電流の印加により発熱して暖房効果を生じる導電性の膜層を形成し、該導電性の膜層上に電流を印加するための電極を形成した板ガラスであって、前記板ガラスの背面に形成した導電性の膜層は光拡散性塗料または顔料を含むことを主な特徴としている。
【０００７】
また、前記板ガラスは合せガラスや複層ガラス等の積層ガラスとして形成され、中間層には導電性を有する中間層を設けた。
【０００８】
これらの本発明に係わる書写及び映写用ガラスの内、少なくとも無反射性加工を施した板ガラスは、他の層を構成する板材に対してヒンジやガイドレールにより分離可能に形成され、これにより、フィルムや原稿等の紙葉類を挟み込んでトレース台等として使用可能としている。また、必要に応じて枠体を設け、脚部に車輪を設けて移動可能とすること等の形態が実施可能である。
【０００９】
【実施例】
以下、本発明の実施例を図面に基づいて説明する。図１は本発明の第１実施例の書写及び映写用ガラスの断面図であり、図２は本発明の第２実施例の書写及び映写用ガラスの断面図であり、図３は本発明の第３実施例の書写及び映写用ガラスの断面図であり、図４は本発明の第４実施例の書写及び映写用ガラスの断面図であり、図５は本発明の第５実施例の書写及び映写用ガラスの断面図であり、図６は本発明の第６実施例の書写及び映写用ガラスの断面図であり、図７は本発明の書写及び映写用ガラスをバックライト方式で使用する場合の実施例の概要図であり、図８は本発明の書写及び映写用ガラスをフロントライト方式（プロジェクタ）で使用する場合の実施例の概要図であり、図９は本発明の書写及び映写用ガラスを可動式で使用する場合の実施例の概要図であり、図１０は本発明の書写及び映写用ガラスを家具等にマウントして使用する場合の実施例の概要図である。
【００１０】
図１に示される第１実施例は、フロートガラス等の透明で且つ略矩形状の板ガラス１を備えて形成されていて、この板ガラス１の表面にサンドブラスト、エッチングにより無反射性加工面１ａを形成している。
【００１１】
この板ガラス１の表面に設けた無反射性加工面１ａは凹凸面として形成され、その面粗さと形状により、水性ペン等を使用した場合に、適度なペンタッチの感覚を与えて文字、図柄の書き込みが可能であると同時に、ガラスクリーナ等の溶剤や字消具等により消去が可能となっている。また、この無反射性加工面１ａは、入射光をその凹凸面で散乱することから光沢が低下しており、書き込んだ文字や図柄等が見やすくなっている。
【００１２】
前記板ガラス１は、壁面、机等の光拡散性の背景Ａで使用することができ、板ガラス１の表面である無反射性加工面１ａで書き込み、消去が可能であると共に、背景Ａと板ガラス１との間にメモや図面等を挟み込んで、トレース台として使用することができる。また、無反射性加工面１ａへ入射した光は、その全体が背景Ａ上で反射するため、映写等の反射型のスクリーンとして機能させることができる。
【００１３】
また、本発明の板ガラス１は、図２に図示の如く、適宜な彩色を施して膜層１ｂが形成される。この膜層１ｂは、光拡散性の塗料または顔料を含む層として形成され、具体的には白色乃至淡色系の塗装による層や、印刷等による膜層を有するフィルムまたは着色フィルムから形成される。
【００１４】
ここで、前記塗料または顔料が白色乃至淡色系の場合で、且つ、層中に高い密度で分散している場合には、板ガラス１の表面である無反射性加工面１ａから入射した光は、その全体が層上で反射するため、反射型のスクリーンとして機能させることができる。
【００１５】
また、前記塗料または顔料が層中に低い密度で分散している場合には、板ガラス１の表面である無反射性加工面１ａから入射した光は、その一部が層上で反射するため、反射型のスクリーンとして機能させると共に、一部を透過させるよう層構造を調整して透過型のスクリーンとしても機能させることができる。図８の例では、プロジェクタ５を使用して正面側でプレゼンテーションをしつつ、背面で内容を確認したり、背面側に光装飾的な効果を醸しだすことが可能である。また、映写面を表面と背面にもつリバーシブルなスクリーンとしての使用が可能である。
【００１６】
また、図３及び図４に図示の実施例は、積層構造の書写及び映写用ガラスを示しており、図３は有色の膜層１ｂを用いた合わせガラス、図４は空気層１ｃを用いた複層ガラスを示している。これらの積層構造のガラスの場合には、和紙やハニカム構造体等の装飾体を挿入することが可能である。
【００１７】
また、膜層１ｂは接着層である必要はなく、少なくとも二つのガラス１．１を分離可能な構造とすることもできる。この場合、図７に示される通り、背後に光源６を設け、更に、開閉構造とすることで、フィルム等を挟み込んでトレースが可能な透視台として実施することができる。
【００１８】
図５に示される第５実施例は、板ガラス１の表面にサンドブラスト、エッチングにより無反射性加工面１ａを形成し、板ガラス１の背面に、光拡散性の塗料または顔料を含む膜層１ｂを形成したものにおいて、この膜層１ｂを導電性の層とすることで、電極１ｄ間に電流を流して発熱させることを可能としている。この実施例では、室内空間を暖めて暖房効果を生じさせることができる。尚、膜層１ｂとは別に導電性の層を積層することも可能であり、例えば、板ガラス１として片面に導電性層を有する板ガラスを用い、その上に膜層１ｂを設けても良い。
【００１９】
図６に示される第６実施例は、板ガラス１の表面にサンドブラスト、エッチングにより無反射性加工面１ａを形成し、板ガラス１の背面に、鉄や磁性体等の磁性層または金属層１ｅを形成している。これにより、板ガラス１の表面に紙等を磁石等を使用して取付けたり、本発明の書写及び映写用ガラスそのものを、図１０に図示の如く、机９等の金属面に磁着することができる。
【００２０】
本発明に係わる書写及び映写用ガラスは、例えば、図９に図示の如く、前記板ガラス１の外延に矩形状の枠体４を設け、前記枠体４の下方に設けた脚体７の下端には車輪８を設けることで、可動式の反射型または透過型スクリーンまたはパーテーション等に使用すること等が可能である。
【００２１】
【発明の効果】
以上の説明から明なように、本発明の書写及び映写用ガラスは、無反射性加工を施して書き込みボード機能を有する板ガラスに膜層を形成することにより、装飾性と同時に仕切材や会議用のテーブル等の書写及び映写用として書写と投射、映像を同時にでき、斜め方向から見ても映像が見易く、映像を見ながら書写できる。また、各種の使用形態を実施可能とした利便性にも優れた発明であり、且つ、トレース台や暖房機能を付帯させた機能性に優れた発明である。
より、具体的には、▲１▼色のりが良く消し易くインクの消し残りが少ない、▲２▼インクの染み込みがない、▲３▼汚れが付着しても水や洗剤等で簡単に落とすことができる、▲４▼樹脂製のボード等と比べて耐久性が高い、▲５▼ガラスの質感が人体の接触に際しても違和感を与えることなく寧ろ安堵感を与える、▲６▼スペースの有効利用ができる、▲７▼指向性が低く観察可能な範囲が広い、▲８▼家具や建材としての兼用が可能であり、特に発熱体として暖房設備等と兼用した場合等では室内空間の快適性を向上させることができる、▲９▼宣伝媒体として使用することができる、等の様々な効果を得ることができる。
【図面の簡単な説明】
【図１】本発明の第１実施例の書写及び映写用ガラスの断面図である。
【図２】本発明の第２実施例の書写及び映写用ガラスの断面図である。
【図３】本発明の第３実施例の書写及び映写用ガラスの断面図である。
【図４】本発明の第４実施例の書写及び映写用ガラスの断面図である。
【図５】本発明の第５実施例の書写及び映写用ガラスの断面図である。
【図６】本発明の第６実施例の書写及び映写用ガラスの断面図である。
【図７】本発明の書写及び映写用ガラスをバックライト方式で使用する場合の実施例の概要図である。
【図８】本発明の書写及び映写用ガラスをフロントライト方式（プロジェクタ）で使用する場合の実施例の概要図である。
【図９】本発明の書写及び映写用ガラスを可動式で使用する場合の実施例の概要図である。
【図１０】本発明の書写及び映写用ガラスを家具等にマウントして使用する場合の実施例の概要図である。
【符号の説明】
１    板ガラス
１ａ  無反射性加工面
１ｂ  膜層
１ｃ  空気層
１ｄ  電極
１ｄ  磁性層または金属層
３    ヒンジ
４    枠体
５    プロジェクタ
６    光源
７    脚体
８    車輪
９    机
Ａ    背景
【図１】
0004257669.tif 000002
【図２】
0004257669.tif 000003
【図３】
0004257669.tif 000004
【図４】
0004257669.tif 000005
【図５】
0004257669.tif 000006
【図６】
0004257669.tif 000007
【図７】
0004257669.tif 000008
【図８】
0004257669.tif 000009
【図９】
0004257669.tif 000010
【図１０】
0004257669.tif 000011